(57)【要約】【課題】透光部材を、その読み取り位置に到来するような塵埃が残らないように清掃できる、かつシェーディング補正の際の基準面の清掃もできる画像読取装置を提供すること。【解決手段】透光部材であるコンタクトガラス７４を原稿搬送方向上流側から下流側に向けて摺擦する清掃部材であるブラシ毛９８が、白基準面９０Ｃの清掃部材であるブラシ毛１０３が白基準面９０Ｃを摺擦して清掃する周回位置を通過する間、ブラシ毛９８がブラシ毛１０３に接触しないよう、ブラシ毛１０３をブラシ毛９８から待避させる手段を設けた。【選択図】図６
2014017766.tif 000002
【特許請求の範囲】
【請求項１】
原稿を副走査方向に搬送し、主走査方向に規定された読取位置を通過させながら、前記読取位置に対し透光部材を介して配された読取手段によって、原稿画像を読み取るシートスルー方式の画像読取装置であって、
前記主走査方向に沿った回転軸を中心として回転可能に配され、外周面を、回転方向に沿って第１領域と第２領域とに分けた場合、第１領域に前記読取手段のシェーディング補正のための基準面が存在する回転体と、
前記回転体の第２領域に設けられ、当該回転体の回転による周回移動によって、前記透光部材を原稿搬送方向上流側から下流側に向けて摺擦して当該透光部材を清掃する第１清掃部材と、
前記回転体の回転により周回移動する前記基準面を、当該基準面が前記透光部材と対向することとなる第１の角度位置とは異なる第２の角度位置で摺擦して当該基準面を清掃する第２清掃部材と、
周回移動する第１清掃部材が少なくとも前記第２の角度位置に対応する周回位置を通過する間、第１清掃部材が第２清掃部材に接触しないように、第１清掃部材と第２清掃部材の内の一方を他方から待避させる待避手段と、
を備えることを特徴とする画像読取装置。
【請求項２】
前記外周面を、前記第１および第２領域に加え、前記回転方向に、さらに第３領域に分けた場合、原稿画像読取中は、当該第３領域が前記透光部材と対向するホーム位置に位置決めされており、
前記回転体が前記ホーム位置にあるときには、前記第２清掃部材が前記基準面を覆うように当該基準面に当接していることを特徴とする請求項１に記載の画像読取装置。
【請求項３】
前記回転体は、原稿画像の読み取りがなされない待機中に回転されて、前記第１清掃部材が前記透光部材を清掃し、
前記待避手段は、前記回転体の回転に連動して前記基準面から前記第２清掃部材を離間することによって、当該第２清掃部材を前記第１清掃部材から待避させ、
前記第２清掃部材は、前記離間の際に前記基準面を摺擦して当該基準面を清掃することを特徴とする請求項２に記載の画像読取装置。
【請求項４】
前記外周面を、前記第１および第２領域に加え、前記回転方向に、さらに第３領域に分けた場合、原稿画像読取中は、当該第３領域が前記透光部材と対向するホーム位置に位置決めされており、
前記回転体は、原稿画像の読み取りがなされない待機中に回転されて、前記第１清掃部材が前記透光部材を清掃し、
前記待避手段は、前記回転体の回転に連動し、前記回転体がＮ回転（Ｎは正の整数）する間、前記周回移動する前記第１清掃部材の周回軌道外に前記第２清掃部材を待避させることを特徴とする請求項１に記載の画像読取装置。
【請求項５】
前記待避手段は、原稿画像の読取中は、前記第１清掃部材の周回軌道外に前記第２清掃部材を待避させ、
原稿画像の読み取りがなされない待機中に、前記待避を解除して、前記第２清掃部材を前記基準面に接触させて、当該基準面を清掃させる待避解除手段を有することを特徴とする請求項１に記載の画像読取装置。
【請求項６】
前記回転体は、前記待機中に回転されて、前記第１清掃部材が前記透光部材を清掃し、
前記待避解除手段は、前記回転体の回転に連動して、前記第２清掃部材を前記基準面に接触させる機構を有することを特徴とする請求項５に記載の画像読取装置。
【請求項７】
プラテンガラスを有する装置本体に対し、前記原稿を前記副走査方向に搬送する自動原稿搬送ユニットが開閉自在に取り付けられ、前記プラテンガラスに載置された原稿の画像も読み取ることができる画像読取装置であって、
前記自動原稿搬送装置の開動作に連動して、前記待避の解除がなされ、閉動作に連動して、前記第２清掃部材の前記待避がなされることを特徴とする請求項５に記載の画像読取装置。
【請求項８】
前記回転体および前記第２清掃部材は、本体フレームに対し開閉可能に取り付けられた可動フレームに設けられており、
前記可動フレームの開動作に連動して、前記待避の解除がなされ、閉動作に連動して、前記第２清掃部材の前記待避がなされることを特徴とする請求項５に記載の画像読取装置。
【請求項９】
前記第２清掃部材は、前記第２の角度位置であって、前記回転体の回転により周回移動する前記基準面を摺擦する位置に固定されており、
前記待避手段は、前記回転体の回転に伴い、前記第１清掃部材が前記第２の角度位置に対応する周回位置を通過する間、前記第１清掃部材が前記第２清掃部材と接触しないように前記第１清掃部材を前記第２領域に近接させ、前記第１清掃部材が前記第１の角度位置を通過する間、前記第１清掃部材が前記透光部材を摺擦できるように前記第２領域から離間させることを特徴とする請求項１に記載の画像読取装置。
【請求項１０】
前記外周面を、前記第１および第２領域に加え、前記回転方向に、さらに第３領域に分けた場合、原稿画像読取中は、当該第３領域が前記透光部材と対向するホーム位置に位置決めされており、
前記回転体が前記ホーム位置にあるときには、前記第２清掃部材が、当該回転体の回転方向において前記第２の角度位置から前記第１の角度位置に至る前記外周面部分に当接していることを特徴とする請求項１に記載の画像読取装置。
【請求項１１】
前記回転体を回転駆動する駆動手段と、
前記駆動手段を制御する制御手段と、
ユーザーからの前記透光部材の清掃指示を受け付ける受付手段と、
を有し、
前記制御手段は、前記受付手段が前記清掃指示を受け付けると、前記駆動手段を制御して、前記回転体を回転させることを特徴とする請求項１〜１０のいずれか１項に記載の画像読取装置。
【請求項１２】
前記回転体を回転駆動する駆動手段と、
前記駆動手段を制御する制御手段と、
外部機器からなされる前記透光部材の清掃指示を受け付ける受付手段と、
を有し、
前記制御手段は、前記受付手段が前記清掃指示を受け付けると、前記駆動手段を制御して、前記回転体を回転させることを特徴とする請求項１〜１０のいずれか１項に記載の画像読取装置。
【請求項１３】
前記回転体を回転駆動する駆動手段と、
前記駆動手段を制御する制御手段と、
前記読取位置を通過する原稿の枚数を計数する計数手段と、
有し、
前記制御手段は、前記計数手段が所定枚数を計数する毎に、前記駆動手段を制御して、前記回転体を回転させることを特徴とする請求項１〜１０のいずれか１項に記載の画像読取装置。
【請求項１４】
前記第１清掃部材が、スポンジ、ブラシその他の可撓性素材で形成されており、
前記第２清掃部材が、スポンジ、ブラシその他の可撓性素材で形成されていることを特徴とする請求項１〜１３のいずれか１項に記載の画像読取装置。
【発明の詳細な説明】
【技術分野】
【０００１】
本発明は、画像読取装置に関し、特に、いわゆるシートスルー方式で原稿画像を読み取る画像読取装置に関する。
【背景技術】
【０００２】
ユーザーの利便性に鑑み、近年、複写機等に用いられる画像読取装置では、プラテンガラスに載置され静止した原稿の下方において光学系を移動させ、当該原稿の画像を読み取る移動光学方式に加え、自動原稿搬送装置（ＡＤＦ）によって、主走査方向に細長い帯状をした透光部材であるコンタクトガラス上面の読取位置を副走査方向に搬送される原稿を、コンタクトガラス下方で静止させた光学系で読み取るシートスルー方式を採用した機種が市場に多く投入されている。
【０００３】
シートスルー方式で原稿画像を読み取る際は、当該読み取りに先立ち、コンタクトガラスを介して光学系と対向する位置に配された白基準面を有する白基準部材の当該白基準面を読み取り、その結果得られる画像データーに基づいてシェーディング補正がなされる。
ところで、原稿が読み取り位置に搬送されるシートスルー方式にあっては、紙粉やＡＤＦの構成部材であるゴムローラーの摩耗片その他の塵埃が、読み取り位置およびその近傍に運ばれ、コンタクトガラスや白基準面に付着する頻度が多い。
【０００４】
コンタクトガラスに塵埃が付着すると読み取った画像に黒筋状のノイズが現れ、白基準面に塵埃が付着すると適正なシェーディング補正がなされないなどの画質の低下を招くこととなる。
そこで、特許文献１には、コンタクトガラスおよび白基準面を清掃する手段を備えた画像読取装置が開示されている。
【０００５】
図２０を参照しながら、特許文献１の清掃手段について説明する。
紙面に垂直な方向に細長い帯状をしたコンタクトガラス３００の下方に画像読取センサー３０２が設けられている。コンタクトガラス３００を介して読取センサー３０２と対向する位置には、外周面が白基準面となっている白色ローラー３０４がコンタクトガラス３００と平行に設けられている。白色ローラー３０４の外周面には、その軸心方向に細長いスポンジ（第１スポンジ）３０６がコンタクトガラス清掃部材として取り付けられている。一方、不図示の筐体には、細長いスポンジ（第２スポンジ）３０８が、白色ローラー清掃部材として、白色ローラー３０４と平行に白色ローラー３０４周面と接触状態で取り付けられている。
【０００６】
上記の構成において、清掃するときには、不図示の駆動手段によって白色ローラー３０４が矢印Ｃの向きに、第１スポンジ３０６が破線で示す位置に回動するまで回転された後、元に戻される。これにより、第１スポンジ３０４がコンタクトガラス３００表面を往復して摺擦し、コンタクトガラス３０４表面が清掃され、第２スポンジ３０８により白色ローラー３０４の符号Ｅで示す範囲が摺擦されて清掃される。清掃が終了した状態で、白色ローラー３０４において清掃された外周面部分が、画像読取位置に位置することとなる。
【０００７】
そして、シェーディング補正がなされた後、矢印Ｆの向きに原稿が搬送されて画像の読取がなされる。
【先行技術文献】
【特許文献】
【０００８】
【特許文献１】特開２００２−６４６８６号公報
【発明の概要】
【発明が解決しようとする課題】
【０００９】
しかしながら、特許文献１の画像読取装置では、第１スポンジ３０６が復動する際に、塵埃を原稿の搬送方向上流側に戻してしまう可能性がある。その結果、搬送される原稿によって当該塵埃が読み取り位置に舞い戻ってしまう虞がある。
これに対処するため、白色ローラー３０４を１回転させて、第１スポンジ３０６の復動動作を無くしてしまえば良いが、そうすると、第１スポンジ３０６が第２スポンジ３０８と干渉してしまい、また、第２スポンジを無くせば、白基準面の清掃ができなくなってしまう。
【００１０】
本発明は、上記した課題に鑑み、上記従来の画像読取装置よりも、透光部材表面を、その読み取り位置に到来するような塵埃が残らないように清掃できると共に、シェーディング補正の際の基準面の清掃もできる画像読取装置を提供することを目的とする。
【課題を解決するための手段】
【００１１】
上記の目的を達成するため、本発明に係る画像読取装置は、原稿を副走査方向に搬送し、主走査方向に規定された読取位置を通過させながら、前記読取位置に対し透光部材を介して配された読取手段によって、原稿画像を読み取るシートスルー方式の画像読取装置であって、前記主走査方向に沿った回転軸を中心として回転可能に配され、外周面を、回転方向に沿って第１領域と第２領域とに分けた場合、第１領域に前記読取手段のシェーディング補正のための基準面が存在する回転体と、前記回転体の第２領域に設けられ、当該回転体の回転による周回移動によって、前記透光部材を原稿搬送方向上流側から下流側に向けて摺擦して当該透光部材を清掃する第１清掃部材と、前記回転体の回転により周回移動する前記基準面を、当該基準面が前記透光部材と対向することとなる第１の角度位置とは異なる第２の角度位置で摺擦して当該基準面を清掃する第２清掃部材と、周回移動する第１清掃部材が少なくとも前記第２の角度位置に対応する周回位置を通過する間、第１清掃部材が第２清掃部材に接触しないように、第１清掃部材と第２清掃部材の内の一方を他方から待避させる待避手段と、を備えることを特徴とする。
【００１２】
また、前記外周面を、前記第１および第２領域に加え、前記回転方向に、さらに第３領域に分けた場合、原稿画像読取中は、当該第３領域が前記透光部材と対向するホーム位置に位置決めされており、前記回転体が前記ホーム位置にあるときには、前記第２清掃部材が前記基準面を覆うように当該基準面に当接していることを特徴とする。
この場合に、前記回転体は、原稿画像の読み取りがなされない待機中に回転されて、前記第１清掃部材が前記透光部材を清掃し、前記待避手段は、前記回転体の回転に連動して前記基準面から前記第２清掃部材を離間することによって、当該第２清掃部材を前記第１清掃部材から待避させ、前記第２清掃部材は、前記離間の際に前記基準面を摺擦して当該基準面を清掃することを特徴とする。
【００１３】
また、前記外周面を、前記第１および第２領域に加え、前記回転方向に、さらに第３領域に分けた場合、原稿画像読取中は、当該第３領域が前記透光部材と対向するホーム位置に位置決めされており、前記回転体は、原稿画像の読み取りがなされない待機中に回転されて、前記第１清掃部材が前記透光部材を清掃し、前記待避手段は、前記回転体の回転に連動し、前記回転体がＮ回転（Ｎは正の整数）する間、前記周回移動する前記第１清掃部材の周回軌道外に前記第２清掃部材を待避させることを特徴とする。
【００１４】
また、前記待避手段は、原稿画像の読取中は、前記第１清掃部材の周回軌道外に前記第２清掃部材を待避させ、原稿画像の読み取りがなされない待機中に、前記待避を解除して、前記第２清掃部材を前記基準面に接触させて、当該基準面を清掃させる待避解除手段を有することを特徴とする。
この場合に、前記回転体は、前記待機中に回転されて、前記第１清掃部材が前記透光部材を清掃し、前記待避解除手段は、前記回転体の回転に連動して、前記第２清掃部材を前記基準面に接触させる機構を有することを特徴とする。
【００１５】
あるいは、プラテンガラスを有する装置本体に対し、前記原稿を前記副走査方向に搬送する自動原稿搬送ユニットが開閉自在に取り付けられ、前記プラテンガラスに載置された原稿の画像も読み取ることができる画像読取装置であって、
前記自動原稿搬送装置の開動作に連動して、前記待避の解除がなされ、閉動作に連動して、前記第２清掃部材の前記待避がなされることを特徴とする。
【００１６】
あるいは、また、前記回転体および前記第２清掃部材は、本体フレームに対し開閉可能に取り付けられた可動フレームに設けられており、前記可動フレームの開動作に連動して、前記待避の解除がなされ、閉動作に連動して、前記第２清掃部材の前記待避がなされることを特徴とする。
また、前記第２清掃部材は、前記第２の角度位置であって、前記回転体の回転により周回移動する前記基準面を摺擦する位置に固定されており、前記待避手段は、前記回転体の回転に伴い、前記第１清掃部材が前記第２の角度位置に対応する周回位置を通過する間、前記第１清掃部材が前記第２清掃部材と接触しないように前記第１清掃部材を前記第２領域に近接させ、前記第１清掃部材が前記第１の角度位置を通過する間、前記第１清掃部材が前記透光部材を摺擦できるように前記第２領域から離間させることを特徴とする。
【００１７】
また、前記外周面を、前記第１および第２領域に加え、前記回転方向に、さらに第３領域に分けた場合、原稿画像読取中は、当該第３領域が前記透光部材と対向するホーム位置に位置決めされており、前記回転体が前記ホーム位置にあるときには、前記第２清掃部材が、当該回転体の回転方向において前記第２の角度位置から前記第１の角度位置に至る前記外周面部分に当接していることを特徴とする。
【００１８】
また、前記回転体を回転駆動する駆動手段と、前記駆動手段を制御する制御手段と、ユーザーからの前記透光部材の清掃指示を受け付ける受付手段と、を有し、前記制御手段は、前記受付手段が前記清掃指示を受け付けると、前記駆動手段を制御して、前記回転体を回転させることを特徴とする。
また、前記回転体を回転駆動する駆動手段と、前記駆動手段を制御する制御手段と、外部機器からなされる前記透光部材の清掃指示を受け付ける受付手段と、を有し、前記制御手段は、前記受付手段が前記清掃指示を受け付けると、前記駆動手段を制御して、前記回転体を回転させることを特徴とする。
【００１９】
また、前記回転体を回転駆動する駆動手段と、前記駆動手段を制御する制御手段と、前記読取位置を通過する原稿の枚数を計数する計数手段と、有し、前記制御手段は、前記計数手段が所定枚数を計数する毎に、前記駆動手段を制御して、前記回転体を回転させることを特徴とする。
また、前記第１清掃部材が、スポンジ、ブラシその他の可撓性素材で形成されており、
前記第２清掃部材が、スポンジ、ブラシその他の可撓性素材で形成されていることを特徴とする。
【発明の効果】
【００２０】
上記の構成からなる画像読取装置によれば、透光部材を原稿搬送方向上流側から下流側に向けて摺擦する第１清掃部材によって、当該透光部材が清掃されるため、清掃の際に第１清掃部材による塵埃の原稿の搬送方向上流側への掃き戻しが無いため、上記従来の画像読取装置よりも、透光部材表面の読み取り位置に到来するような塵埃が残らないように清掃できる。
【００２１】
また、周回移動する第１清掃部材が少なくとも、第２清掃部材が基準面を摺擦して清掃する第２角度位置に対応する周回位置を通過する間、第１清掃部材が第２清掃部材に接触しないように、第１清掃部材と第２清掃部材の内の一方が他方から待避されるので、両清掃部材が干渉することがない。
【図面の簡単な説明】
【００２２】
【図１】複合機の外観を示した斜視図である。
【図２】上記複合機におけるイメージリーダー部の概略構成を示す図である。
【図３】上記イメージリーダー部における第２原稿読取部およびその近傍の拡大図である。
【図４】（ａ）は、軸心方向から視た白色ローラーの側面図であり、（ｂ）は白色ローラーの斜視図である。
【図５】（ａ）は、白基準面清掃手段をそのシャフトの軸心方向から視た側面図を、図５（ｂ）に白基準面清掃手段の斜視図を示す。
【図６】上記白色ローラーと上記白基準面清掃手段が並設された状態をこれらの構成部材であるシャフトの軸心方向から視た図である。
【図７】（ａ）は、上記複合機の有するメイン制御部の概略構成を示す図であり、（ｂ）は、上記イメージリーダー部の有する制御部の構成の一部を示す図である。
【図８】上記白色ローラーの回転駆動源であるモーターの回転制御プログラムに係るメインルーチンのフローチャートを示す図である。
【図９】上記メインルーチンにおける、ホーム位置復帰処理に係るサブルーチンのフローチャートを示す図である。
【図１０】上記メインルーチンにおける、シェーディング補正時処理に係るサブルーチンのフローチャートを示す図である。
【図１１】上記メインルーチンにおける、清掃時処理に係るサブルーチンのフローチャートを示す図である。
【図１２】実施の形態２において、白色ローラーおよびその近傍を白色ローラーのシャフトの軸心方向から視た図である。
【図１３】（ａ）、（ｂ）は、実施の形態３において、白色ローラーおよびその近傍を白色ローラーのシャフトの軸心方向から視た図であり、（ｃ）は、実施の形態３における白基準面清掃手段の斜視図である。
【図１４】（ａ）は、実施の形態４における白基準面清掃手段の斜視図であり、（ｂ）は、白色ローラーの一端部側を表した斜視図である。
【図１５】実施の形態４における、白色ローラーおよびその近傍を、白色ローラーのシャフトの軸心方向から視た図である。
【図１６】実施の形態５における、スキャナーおよびその近傍の概略構成を表した図である。
【図１７】実施の形態６における、スキャナーおよびその近傍の概略構成を表した図である。
【図１８】（ａ）は、実施の形態７における、白色ローラーの斜視図であり、（ｂ）は、白基準面清掃手段等の斜視図である。
【図１９】実施の形態７における、白色ローラーと白基準面清掃手段が並設された状態を、白色ローラーの長手方向から視た図である。
【図２０】従来技術を説明するため図である。
【発明を実施するための形態】
【００２３】
以下、本発明に係る画像読取装置の実施の形態を、コピー機能、プリンター機能、ファクシミリ機能、およびネットワークスキャン機能を有する複合機（ＭＦＰ：Multifunction Peripheral）のイメージリーダー部に適用した場合を例にして図面を参照しながら説明する。なお、各図において部材間の尺度は統一していない。
＜実施の形態１＞
図１は、上記複合機２の外観を表した斜視図である。
【００２４】
複合機２は、大きくわけて、原稿画像を読み取るイメージリーダー部４と読み取った画像を記録シート上にプリントして再現するプリンター部６とから構成される。
イメージリーダー部４は、固定光学系の一つであるシートスルー方式と移動光学系の一つであるミラー移動方式の両方で原稿画像の読み取りが可能なように構成されている。ここで、シートスルー方式は、光学系を静止（固定）させた状態で、原稿を移動させて読み取る方式である。ミラー移動方式は、原稿は静止させた状態で、原稿面からの反射光をＣＣＤセンサーに導くミラーを原稿に対して移動させ、原稿読み取り位置からＣＣＤセンサーまでの光路長を常に一定に維持した状態で読み取る方式である。
【００２５】
イメージリーダー部４は、シートスルー方式を実現するための自動原稿搬送装置（ＡＤＦ）８を備えている。
自動原稿搬送装置８は、原稿給紙トレイ１０にセットされた原稿束から原稿を１枚ずつ分離して、後述する原稿読取位置を通過させた後、原稿排紙トレイ１２に排出するものである。前記原稿読取位置を通過する原稿の画像は、後述する第１原稿読取部３０、第２原稿読取部３２によって読み取られる。
【００２６】
プリンター部６は、第１原稿読取部３０、第２原稿読取部３２で読み取られた画像を、記録シート上に公知の電子写真方式により、トナー像としてプリントして再現する。プリンター部６は、装置下部に記録シートのサイズ毎に設けられた３段の給紙カセット１４を有しており、所望サイズの記録シートが対応する給紙カセットから繰り出され、これにトナー像が形成された後、記録シート排出トレイ１６に排出される。なお、プリンター部６は、第１原稿読取部３０、第２原稿読取部３２で読み取られた画像のみならず、複合機２とネットワークインターフェース部１２２（図７（ａ））を介して接続されたパソコンなどの端末装置（不図示）から受信した電子文書に基づいて、その画像を記録シートにプリントする。
【００２７】
複合機２は、また、装置前部の操作しやすい場所に、操作パネル１８を備えている。操作パネル１８は、液晶タッチパネル２０の他各種のキーを有している。液晶タッチパネル２０には、設定中のコピー条件やコピーモード、コピー条件やコピーモードを選択するためのキー、および用紙切れや紙詰まりなどのメッセージが表示される。コピーモードには、原稿の表面（第１面）のみを読み取る片面読取モードや原稿の表面（第１面）と裏面（第２面）とを１回の通紙で読み取る両面読取モードなどがある。
【００２８】
各種キーとしては、コピー枚数を設定するためのテンキー２２や、コピー枚数を「１」にリセットするためのクリヤキー２４、コピーの開始を受け付けるコピー開始キー２６などがある。また、操作パネル２０は、後述するコンタクトガラス７４の清掃指示をユーザーから受け付けるための清掃キー２８を有している。
画像読取装置であるイメージリーダー部４の構成を図２に示す。イメージリーダー部４は、原稿の表面（第１面）と裏面（第２面）とを１回の通紙で読み取ることができる機能を実現するため、表面読取用の第１原稿読取部３０と裏面読取用の第２原稿読取部３２とを備えている。
【００２９】
原稿給紙トレイ１０にセットされた原稿束Ｄにおける最上位の原稿は、ピックアップローラー３４と捌きローラー対３６とによって原稿束Ｄから分離され、中間ローラー対３８を介してレジストローラー対４０まで搬送される。
原稿は、中間ローラー対３８とレジストローラー対４０とで傾き（スキュー）が補正された後、レジストローラー対４０および第１搬送ローラー対４２によって、第１原稿読取部３０のコンタクトガラス４４へと搬送される。コンタクトガラス４４を通過した原稿は、第２搬送ローラー対４６によって、第２原稿読取部３２の直下へと搬送される。第２原稿読取部３２を通過した原稿は、第３搬送ローラー対４８および排紙ローラー５０によって、原稿排紙トレイ１２へと排出される。コンタクトガラス４４は、透光部材の一例として示す、主走査方向（紙面に垂直な方向）に細長い板状ガラスからなる。なお、透光部材は、ガラスに限らず透光性を有するプラスチックを用いて構成してもよい。
【００３０】
第１原稿読取部３０のコンタクトガラス４４を通過する原稿の表面（第１面）は、コンタクトガラス４４の下方で静止しているスキャナー５２の光源５４によって照射される。原稿面からの反射光は、第１ミラー５６、第２ミラー５８および第３ミラー６０により行路変更され、結像レンズ６２によって第１ラインセンサー６４上に結像する。第１ラインセンサー６４は、複数の光電変換素子が主走査方向に沿って並ぶＣＣＤ（Charge Coupled Device）からなる。
【００３１】
第１ラインセンサー６４は、結像された光画像を画像信号に変換して画像処理部６６に出力する。画像処理部６６は、入力された画像信号を、アナログ処理、Ａ/Ｄ変換、シェーディング補正、画像圧縮処理等して、デジタル化された画像データを生成し、これを後述するメイン制御部１１２（図７）へ出力する。当該画像データは、一旦、メイン制御部１１２の画像メモリ１２０（図７）に格納される。
【００３２】
なお、第１原稿読取部３０のコンタクトガラス４４の直上には、白色ローラー６８が設けられている。白色ローラー６８は、コンタクトガラス４４表面の清掃に用いられる他、シェーディング補正の際の白基準面としても用いられるが、白色ローラー６８は、第２原稿読取部３２に対して設けられている白色ローラー８６（図４）と同様の構成を有しているため、後に詳述する白色ローラー８６の説明をもって白色ローラー６８の説明に代える。
【００３３】
また、シートスルー用の上記コンタクトガラス４４とは別に、自動原稿搬送装置８と対向する位置に原稿手置き用のプラテンガラス７０が設けられている。
上述したように、シートスルースキャン方式で原稿を読み取る場合には、スキャナー５２は、コンタクトガラス４４下方（読取位置下方）の図２に示す位置に在って、この位置で自動原稿搬送装置８により副走査方向に搬送されてくる原稿を照射し、その原稿画像を読み取る。
【００３４】
一方、原稿を手置き用のプラテンガラス７０に載置して読み取る場合（ミラー移動方式で読み取る場合）には、自動原稿搬送装置８を上方に開放して、原稿を手置き用プラテンガラス７０上にセットする。
自動原稿搬送装置８は、全体的に、それより下部に存する装置本体に開閉自在に取り付けられており、本体側には、自動原稿搬送装置８の一部で押下される開閉検出スイッチ（不図示）が取り付けられている。すなわち、自動原稿搬送装置８が閉じられると、当該開閉検出スイッチが当該自動原稿搬送装置８の一部で押下されてオン状態となり、自動原稿搬送装置８が開放されると開閉検出スイッチはオフ状態となることで、自動原稿搬送装置８の開閉状態が検出できるようになっている。
【００３５】
上記ミラー移動方式の場合には、スキャナー５２は、図２において右方向に移動される。この際、第２ミラー５８、第３ミラー６０が対となってスキャナー５２と同方向に、その移動速度の半分の速度で移動するようになっており、これにより原稿面から結像レンズ６２までの距離（光路長）が常に一定に保たれて、原稿の反射光は、第１ラインセンサー６４の受光面で結像される。原稿の反射光は、第１ラインセンサー６４において画像信号に光電変換され、画像処理部６６にて上記と同様の処理がなされた後、プリンター部６へ出力される。
【００３６】
上記の通り、イメージリーダー部４は、原稿の表面（第１面）を、シートスルー方式でもミラー移動方式でも読み取ることができる。
原稿の両面を１回の通紙で読み取る場合には、自動原稿搬送装置８によって原稿を搬送しつつ、第１原稿読取部３０に加え、第２原稿読取部３２によっても原稿の読取を行う。
図３に、第２原稿読取部３２およびその近傍の拡大図を示す。
【００３７】
第２原稿読取部３２は、読取手段であるスキャナー７２を備えている。スキャナー７２は、コンタクトガラス７４を有している。コンタクトガラス７４は、透光部材の一例として示す、主走査方向（紙面に垂直な方向）に細長い板状ガラスからなる。なお、透光部材は、ガラスに限らず透光性を有するプラスチックを用いて構成してもよい。
コンタクトガラス７４の上側には、一対の光源７６，７８および第２ラインセンサー８０が設けられている。第２ラインセンサー８０は、複数の光電変換素子が主走査方向に沿って並ぶＣＩＳ（Contact Image Sensor）からなる。
【００３８】
第２原稿読取部３２の下方には、可動フレーム８２が設けられている。可動フレーム８２は、自動原稿搬送装置８の筐体（不図示）に固定されたシャフト８４に回動自在に軸支されている。可動フレーム８２の上面は、図３に示す状態で搬送される原稿のガイド面として機能し、一点鎖線で示す原稿搬送路ＴＰの一部を創出する。可動フレーム８２存する原稿搬送路部分において、搬送される原稿が詰まった場合（いわゆる、ジャムが発生した場合）には、自動原稿搬送装置８全体を上方へ開放した状態で、可動フレーム８２を、シャフト８４を中心に反時計方向に回動させることにより、原稿搬送路ＴＰが露出するため、当該原稿を原稿搬送路ＴＰから取り除き易くなる。
【００３９】
可動フレーム８２には、第２搬送ローラー対４６を構成する一方の（下側の）第２搬送ローラー４６Ａと第３搬送ローラー対４８を構成する一方の（下側の）第３搬送ローラー４８Ａとが、回転自在に軸支されている。
また、可動フレーム８２には、コンタクトガラス７４を介して第２ラインセンサー８０と対向する位置に設けられた白色ローラー８６が、主走査方向に沿った回転軸を中心として回転自在に軸支されている。白色ローラー８６には、白色ローラー８６の後述する白基準面を清掃するための白基準面清掃手段８８が並設されている。
【００４０】
図４（ａ）に軸心方向から視た白色ローラー８６の側面図を、図４（ｂ）に白色ローラー８６の斜視図を示す。
白色ローラー８６は、円柱部材の外周面をその中心軸に平行な平面で、一部切除してなる（いわゆる、Ｄカットしてなる）形状をした回転体である本体部９０を有する。本体部９０の外周面は、前記切除によって現れた領域である平坦面９０Ａと残余の領域である円周面９０Ｂとを有する。本体部９０は、全体的に白色をしており、合成樹脂で形成されている。
【００４１】
円周面９０Ｂの内、符号９０Ｃで示す外周面領域は、シェーディング補正の際に第２原稿読取部３２によって読み取り対象となる白基準面となる領域であり（以下、この領域を「白基準面９０Ｃ」と称する。）、符号９０Ｄで示す外周面領域は、原稿画像を読み取る際に搬送される原稿の案内面となる領域である（以下、この領域を「案内面９０Ｄ」と称する。）。
【００４２】
本体部９０には、前記円柱部材の中心軸と同心にシャフト９２が設けられており、両端部からその一部が突出している。
本体部９０の平坦面９０Ａに、コンタクトガラス７４を清掃するためのブラシ９４が設けられている。ブラシ９４は、細長いプラスチック板からなる基材９６に清掃部材であるブラシ毛９８を植毛してなるものである。ブラシ毛９８は、本体部９０の長手方向に直線状に植毛されている。ブラシ９４は、基材９６が平坦面９０Ａに接着剤（不図示）などによって、固着されている。ブラシ毛９８の先端は、本体部９０の円周面９０Ｂを延長した一点鎖線で示す仮想周面（図４（ａ））よりも突出している。
【００４３】
また、シャフト９２の一端部側には、図４（ｂ）に示すように、平歯車１０６が取着されている。なお、図４（ａ）では、平歯車１０６の図示は省略している。
図５（ａ）に、白基準面清掃手段８８をそのシャフト１００の軸心方向から視た側面図を、図５（ｂ）に白基準面清掃手段８８の斜視図を示す。
白基準面清掃手段８８は、シャフト１００を有する。シャフト１００には、横断面が「Ｌ」字状をした長尺のアングル材からなる保持部材１０２が接合されている。保持部材１０２は、横断面における一端部がその全長に渡ってシャフト１００に接合されている。また、保持部材１０２の他端部には、その全長に渡って当該他端部を基材として清掃部材であるブラシ毛１０３が植毛されて、白基準面９０Ｃを清掃するためのブラシ１０４が構成されている。
【００４４】
また、白基準面清掃手段８８のシャフト１００の一端部側には、平歯車１０８が取着されている。
白色ローラー８６と白基準面清掃手段８８とは、シャフト９２とシャフト１００同士が平行状態で並設されている。
図６に、白色ローラー８６と白基準面清掃手段８８が並設された状態をシャフト９２，１００の軸心方向、平歯車１０６，１０８が設けられていない側から視た図を示す。なお、図６以降において、白色ローラー８６の本体部９０における白基準面９０Ｃ部分は、太い実線で表すこととする。
【００４５】
平歯車１０８と平歯車１０６とが歯合している。平歯車１０６と平歯車１０８とは、同じ仕様の歯車である。すなわち、平歯車１０８の平歯車１０６に対する回転比は１であり、平歯車１０６が１回転すると、これに噛み合っている平歯車１０８も１回転する。よって、白色ローラー８６の本体部９０が１回転すると、白基準面清掃手段８８のブラシ１０４が、シャフト１００の周りに１回転する。
【００４６】
この場合に、図６（ｂ）に示すように、白色ローラー８６における本体部９０のガイド面９０Ｄがスキャナー７２のコンタクトガラス７４に対向する回転位置に在るときに、白基準面清掃手段８８のブラシ１０４のブラシ毛１０３が本体部９０の白基準面９０Ｃを覆う回転位置となるように、平歯車１０６と平歯車１０８の噛み合い関係が調整されている。
【００４７】
ここで、白色ローラー８６における本体部９０のガイド面９０Ｄがスキャナー７２のコンタクトガラス７４に対向する回転位置（角度位置）に在る、図６（ｂ）に示す白色ローラー８６の回転位置を「ホーム位置」と称することとする。本例の場合、白色ローラー８６がホーム位置にあるときは、常に、白基準面清掃手段８８のブラシ１０４のブラシ毛１０３が、白基準面９０Ｃを覆っている。なお、白基準面清掃手段８８のブラシ１０４のブラシ毛１０３は、白基準面９０Ｃに押圧され、撓んだ状態で白基準面９０Ｃを覆っている。
【００４８】
白色ローラー８６は、図６では不図示のステッピングモーター（図７（ｂ））から不図示の動力伝達機構を介して伝達される回転動力によって回転駆動される。この場合に、白色ローラー８６がホーム位置に在ることを検出するための検出センサー１１０が、白色ローラー８６近傍に設けられている（図３）。検出センサー１１０には、例えば、発光部と受光部とが対向して設けられた透過型の光学センサーが用いられる。また、白色ローラー８６の平歯車１０６が取着されているのとは反対側の端部には、不図示の円板が設けられて、当該円板外周の近傍には、小さな孔が検出孔（不図示）として開設されている。よって、白色ローラー８６が回転すると前記円板に開設された検出孔が円軌道を描いて回転する。検出センサー１１０は、前記発光部と前記受光部が検出孔の通過位置（前記円軌道の一部）を挟んで対向するように設置されていて、回転する検出孔を検出することができるようになっている。また、検出センサー１１０と検出孔の位置関係は、検出センサー１１０が検出孔を検出したときに白色ローラー８６がホーム位置に在るような関係に調整されている。
【００４９】
よって、検出センサー１１０の検出結果を参照することにより、白色ローラー１１０がホーム位置にあるか否かを判定することができため、白色ローラー１１０をホーム位置で停止させることができる。また、ホーム位置からの前記ステッピングモーターの回転角度を制御することによって、白色ローラー１１０の本体部９０の白基準面９０Ｃがスキャナー７２のコンタクトガラス７４に対向する回転位置（角度位置）に停止させることもできる。ここで、白基準面９０Ｃがスキャナー７２のコンタクトガラス７４に対向する、白色ローラー１１０の回転位置を、「シェーディング補正位置」と称することとする。
【００５０】
原稿画像を読み取る際とイメージリーダー部４が稼動されない待機中は、白色ローラー８６は、図６（ｂ）に示すホーム位置に在る。
コンタクトガラス７４を清掃する場合には、白色ローラー８６は、矢印Ａの一方向（図６における時計方向）のみに回転される。これに伴い、白基準面清掃手段８８のシャフト１００が矢印Ｂの方向（図６における反時計方向）に回転され、ブラシ１０４が白色ローラー８６の本体部９０から離間し、さらに本体部９０から遠ざかる。
【００５１】
これにより、図６（ａ）に示すように、白基準面清掃手段８８のブラシ１０４が、白色ローラー８６のブラシ毛９８の周回移動経路（回転経路）から待避することになるため、ブラシ毛９８がブラシ１０４に衝突する（接触する）のが回避される。
すなわち、シャフト９２に取着された平歯車１０６、これと歯合する平歯車１０８、平歯車１０８が取着されているシャフト１００、およびシャフト１００に接合されブラシ毛１０３を保持している保持部材１０２によって、ブラシ毛１０３を周回移動するブラシ毛９８と接触しないように待避させる待避手段が構成されている。
【００５２】
図６（ａ）に示す状態から、白色ローラー８６がさらに回転されると、ブラシ毛９８は、画像読取中に原稿が搬送されるのと同じ方向に向かって（すなわち、原稿搬送方向における上流側から下流側に向かって）、図６（ｃ）に示すように、コンタクトガラス７４表面の原稿読取位置およびその近傍部分を摺擦する。これにより、コンタクトガラス７４の表面に付着していた塵埃が掃き出される。しかも、塵埃は原稿搬送方向における上流側から下流側に向かって掃き出されるため、掃き出された塵埃が再度、コンタクトガラス７４表面の原稿読取位置および近傍に舞い戻ることがほとんどない。よって、一旦、掃き出された塵埃が原因で読取画像の劣化が生じることを可能な限り防止することができる。
【００５３】
シェーディング補正の際には、白色ローラー８６は、図６（ｂ）に示すホーム位置から、図６（ａ）に示すように、本体部９０の白基準面９０Ｃがコンタクトガラス７４に対向する位置（シェーディング補正位置）まで回転される。白基準面清掃手段８８のブラシ毛１０３が本体部９０の白基準面９０Ｃから離間する際、それまで撓んだ状態で白基準面９０Ｃに接触していたブラシ毛１０３が復元する勢いで白基準面９０Ｃを摺擦し、白基準面９０Ｃが清掃される。もっとも、原稿画像の読取中や待機中は、白基準面９０Ｃは白基準面清掃手段８８のブラシ毛１０３で覆われているため、塵埃が付着しにくくなっている。すなわち、白基準面清掃手段８８は、文字通りの白基準面９０Ｃの白基準面清掃手段のみならず、白基準面９０Ｃに塵埃が付着するのを防止する防塵手段としても機能する。
【００５４】
図７（ａ）は、複合機２の有するメイン制御部１１２の概略を示す図である。
本図に示すように、メイン制御部１１２は、ＣＰＵ１１４を中心にして、ＣＰＵ１１４にＲＯＭ１１６、ＲＡＭ１１８、および画像メモリ１２０が接続された構成をしている。また、ＣＰＵ１１４は、前記したイメージリーダー部４、プリンター部６、および操作パネル１８の各々のＣＰＵと接続されている。また、ＣＰＵ１１４は、ネットワークインターフェース部１２２を介して、パソコン等の外部機器と通信可能に接続される。
【００５５】
ＲＯＭ１１６は、上記各ＣＰＵが実行する制御プログラム等を格納している。
ＲＡＭ１１８は、操作パネル１８を介して設定される、コピー枚数などのコピー条件を記憶する。
画像メモリ１２０は、前記したように、イメージリーダー部４から出力される画像データを一旦記憶する。
【００５６】
ＣＰＵ１１４は、操作パネル１８、イメージリーダー部４、およびプリンター部６を統括的に制御して、円滑なコピー動作等を実現する。
図７（ｂ）は、イメージリーダー部４の有する制御部１２４の構成の一部を示す図である。制御部は、メイン制御部１１２のＣＰＵ１１４（図７（ａ））に接続されたＣＰＵ１２６を有する。
【００５７】
ＣＰＵ１２６には、白色ローラー８６の回転動力源であるモーター１２８の駆動制御をするモーター駆動部１３０、および検出センサー１１０（図２）が接続されている。モーター１２８には、本例では、ステッピングモーターが用いられる。ＣＰＵ１２６は、シェーディング補正に際しなされるＣＰＵ１１４からの指示や、操作パネル１８から入力されＣＰＵ１１４を介して受け取るユーザーからの指示により、モーター１２８を起動して、白色ローラー８６を回転させるべく、モーター駆動部１３０を制御する。
【００５８】
ＣＰＵ１２６が実行するモーター制御プログラムについて、図８〜図１１に示すフローチャートを参照しながら説明する。
図８に示すフローチャートに係るプログラムは、モーター制御のメインルーチンである。当該プログラムは、複合機２の電源が投入されたときに起動される（ステップＳ１でＹＥＳ）。
【００５９】
ＣＰＵ１２６は、検出センサー１１０の検出結果を参照し、白色ローラー８６の回転位置がホーム位置にあるか否かを判定する。ホーム位置に無ければホーム位置復帰処理を行い（ステップＳ３）、ホーム位置にあればステップＳ４に進む。ステップＳ４では、必要に応じ、シェーディング補正のための白色ローラー８６の回転位置変更処理を行う。続く清掃時処理では、必要に応じなされるコンタクトガラス７４および白基準面９０Ｃの清掃のための白色ローラー８６の回転制御を行う。そして、複合機２の電源がオフされるまで（ステップＳ６でＹＥＳ）、ステップＳ４とステップＳ５の処理を必要に応じて実行する。
【００６０】
以下、ステップＳ３〜Ｓ５の詳細について説明する。
図９に、ホーム位置復帰処理に係るサブルーチンのフローチャートを示す。ＣＰＵ１２６は、モーター駆動部１３０を制御して、モーター１２８を起動させる（ステップＳ３１）。モーター１２８の回転により、白色ローラー８６は回転するので、検出センサー１１０の検出結果がＯＮになるのを待って（ステップＳ３２でＹＥＳ）、モーター１２８を停止させる（ステップＳ３３）。これにより、白色ローラー８６がホーム位置（図６（ｂ））に位置決めされることとなる。
【００６１】
図１０に、シェーディング補正時処理に係るサブルーチンのフローチャートを示す。当該サブルーチンは、ＣＰＵ１１４（図７）からの指示があったときに（ステップＳ４１でＹＥＳ）起動される。
ＣＰＵ１２６（図７）は、モーター１２８を起動し（ステップＳ４２）、ステッピングモーターであるモーター１２８の駆動パルスをカウントして、当該パルス数が所定のＰ（Ｐは正の整数）に到達したか否かを判定する（ステップＳ４３）。ここで、Ｐは、白色ローラー８６がホーム位置からシェーディング補正位置まで回転するのに要する駆動パルス数である。
【００６２】
駆動パルスがＰに到達すると（ステップＳ４３でＹＥＳ）、モーター１２８を停止させる。これにより、白色ローラー８６は、シェーディング補正位置（図６（ａ））に位置決めされる。
この状態で、スキャナー７２（図３）による白基準面９０Ｃの読み取りが終了するのを待って（ステップＳ４５でＹＥＳ）、モーター１２８を再起動し（ステップＳ４６）、検出センサー１１０の検出結果がＯＮになるのを待って（ステップＳ４７でＹＥＳ）、モーター１２８を停止させ（ステップＳ４８）、白色ローラー８６をホーム位置（図６（ｂ）に復帰させる。
【００６３】
図１１に、清掃時処理に係るサブルーチンのフローチャートを示す。当該サブルーチンは、操作パネル１８の清掃キー２８（図１）を介してなされるユーザーからの清掃指示があったとき（ステップＳ５１でＹＥＳ）に起動される。
ＣＰＵ１２６は、モーター駆動部１３０を制御して、モーター１２８を起動させる（ステップＳ５２）。
【００６４】
そして、検出センサー１１０の検出結果がＯＮになるのを待って（ステップＳ５３でＹＥＳ）、モーター１２８を停止させる（ステップＳ５４）。これにより、白色ローラー８６が１回転してホーム位置（図６（ｂ））に位置復帰することとなる。この１回転の間に、図６（ｃ）に示すように、ブラシ毛９８がコンタクトガラス７４を摺擦して、コンタクトガラス７４表面を清掃する。また、白基準面清掃手段８８のブラシ毛１０３が白基準面９０Ｃから離間する際に、白基準面９０Ｃの表面を清掃することは、上述したとおりである。
【００６５】
なお、上記の例では、操作パネル１８の清掃キー２８が押下されたことを契機として、コンタクトガラス７４および白基準面９０Ｃの清掃を実行したが（ステップＳ５２〜Ｓ５４）、これに限らず、なお、ネットワークＩＦ部１２２（図７（ａ））を介してなされる、パソコンなどの外部装置からの清掃指示を受け付けたことを契機として、上記の清掃時処理（ステップＳ５２〜Ｓ５４）を実行することとしても構わない。
【００６６】
あるいは、自動原稿搬送装置８によって搬送される原稿のコンタクトガラス７４を通過した累積枚数が所定枚数（例えば、１０枚）を超える毎に、上記の清掃時処理（ステップＳ５２〜Ｓ５４）を実行することとしても構わない。これは、原稿搬送路上、コンタクトガラス７４の上流側または下流側に公知のセンサーを設け、これにより通過する原稿を検出して、ＣＰＵ１２６の有する内部カウンター（不図示）で、通過枚数をカウントし、当該カウント値と上記所定枚数を比較することによって実現できる。
＜実施の形態２＞
実施の形態２およびこれ以降に係る複合機のイメージリーダー部は、実施の形態１のイメージリーダー部とは、白色ローラーおよび白基準面清掃手段の構成が異なる以外は、基本的に同じ構成である。よって、以下、各実施の形態において、実質的に同じ構成部材には同じ符号を付し、必要に応じて言及するに止め、異なる部分を中心に説明する。
【００６７】
図１２は、白色ローラー８６およびその近傍を白色ローラー８６のシャフト９２の軸心方向から視た図であり、図６と同様に描いたものである。
実施の形態１では、シャフト１００に取着された平歯車１０８の、シャフト９２に取着された平歯車１０６に対する回転比は１であった。これに対し、実施の形態２では、白色ローラー８６のシャフト９２に平歯車１３２を取着し、白基準面清掃手段８８のシャフト１００に平歯車１３２よりも径が大きく歯数も多い平歯車１３４を取着し、平歯車１３２と平歯車１３４を歯合させた。平歯車１３４の平歯車１３２に対する回転比は（１／Ｎ）である（Ｎは、正の整数。図示例は、Ｎ＝３の場合である。）。よって、白色ローラー８６のＮ回転に付き、白基準面清掃手段８８のブラシ毛１０３が１回、白色ローラー８６の本体部９０の白基準面９０Ｃに接触して、白基準面９０Ｃを清掃することとなる。換言すれば、白色ローラー８６がＮ回転する間、ブラシ毛１０３が、ブラシ毛９８の周回軌道外に待避されることとなる。
【００６８】
これにより、白色ローラーの１回転毎に白基準面清掃手段８８のブラシ毛９８が白基準面９０Ｃに接触して白基準面９０Ｃを清掃する実施の形態１と比較して、過度にブラシ毛９８が白基準面９０Ｃに接触するのを抑制して、白基準面９０Ｃの摩滅による劣化を防止することが可能となる。
＜実施の形態３＞
図１３（ａ）、（ｂ）は、実施の形態３の白色ローラー８６およびその近傍を白色ローラー８６のシャフト９２の軸心方向から視た図であり、図６と同様に描いたものである。図１３（ｃ）は、白基準面清掃手段１３６の斜視図である。
【００６９】
実施の形態１，２では、白色ローラー８６の回転に連動して、白基準面清掃手段８８のブラシ毛１０３を白色ローラー８６のブラシ毛９８から待避させるのに歯車機構（平歯車１０６，１０８、平歯車１３２，１３４）を用いたが、実施の形態３では、カム機構を用いている。
白基準面清掃手段８８は、筐体内で回転自在に支持されたシャフト１３８を有する。シャフト１３８には、図１３（ａ），（ｂ）に示すように、横断面が「Ｌ」字状をした長尺のアングル材からなる保持部材１４０が接合されている。保持部材１４０は、横断面における一端部がその略全長に渡ってシャフト１３８に接合されている。また、保持部材１４０の他端部近傍には、保持部材１４０を基材として清掃部材であるブラシ毛１４２が植毛されて、白基準面９０Ｃを清掃するためのブラシ１４４が構成されている。
【００７０】
保持部材１４０は、ブラシ毛１４２の植毛領域から、図１３（ａ），（ｂ）における紙面奥側、図１３（ｃ）における右側にブラシ毛１４２が植毛されていない延出部が設けられており、当該延出部において斜線を施した領域が、後述する板カム１４６の周面が摺接するカム摺接面１４０Ａとなっている。
また、シャフト１３８には、保持部材１４０に対し、図１３（ａ），（ｂ）において、シャフト１３８の軸心を中心とした時計方向に回転力を付与するよう、ねじりコイルばね（不図示）が取り付けられている。
【００７１】
一方、図１３（ａ），（ｂ）において、シャフト９２の紙面奥側の端部に、板カム１４６が取着されている。板カム１４６は、シャフト９２と一体となって回転する。また、板カム１４６の回転によって、その周面が適時に保持部材１４０のカム摺接面１４０Ａに当接して、保持部材１４０ひいてはブラシ１４４を前記ねじりコイルばね（不図示）の付勢力に抗してシャフト１３８を中心に反時計回りに回動する。
【００７２】
図１３（ａ）は、白色ローラー８６がホーム位置に在る状態を示している。ホーム位置にある場合は、板カム１４６の周面は、保持部材１４０のカム摺接面１４０Ａから離間しており、前記ねじりコイルばねの付勢力によって、ブラシ毛１４２が白基準面９０Ｃに当接している。この状態で、白色ローラー８６が矢印Ａの向きに回転されると、ブラシ毛１４２が白基準面９０Ｃを摺擦して白基準面９０Ｃを清掃する。
【００７３】
さらに回転が進むと、板カム１４６の周面が保持部材１４０のカム摺接面１４０Ａに当接して、保持部材１４０を反時計方向に回動させる。このとき、白色ローラー８６のブラシ毛９８が、白基準面清掃手段１３６のブラシ毛１４２の設置位置を通過する際（ブラシ毛９８がブラシ毛１４２に対向する位置を通過する際）に、保持部材１４０の反時計方向の回転角が最も大きくなり、ブラシ毛１４２とブラシ毛９８が接触しないように、板カム１４６の輪郭形状が決定されている。
【００７４】
これにより、白色ローラー８６が、コンタクトガラス７４の清掃のために回転された場合に、白色ローラー８６のブラシ毛９８が白基準面清掃手段１３６のブラシ毛１４２に接触するのが回避される。
なお、上記の例では、白色ローラー８６がホーム位置にある場合に、ブラシ毛１４２を白基準面９０Ｃに当接させることとしたが（図１３（ａ））、これに限らず、図１３（ａ）に示す状態において、ブラシ毛１４２を、本体部９０の回転方向において、白基準面９０Ｃから本体部９０外周面がコンタクトガラス７４と対向する位置に至る当該外周面部分に当接させることとしても構わない。このようにしても、読取位置（原稿の通過位置）から到来する塵埃が白基準面９０Ｃに付着するのを防止する効果が得られるからである。
＜実施の形態４＞
実施の形態１，２では歯車機構を用い、実施の形態３ではカム機構を用いて、白色ローラー８６の回転に連動させて、白基準面清掃手段のブラシ毛を白色ローラー８６のブラシ毛９８から待避させたが、実施の形態４では、これ以外の機構を用いている。
【００７５】
図１４（ａ）は、実施の形態４における白基準面清掃手段１４８の斜視図であり、図１４（ｂ）は、白色ローラー８６の一端部側を表した斜視図である。図１５は、白色ローラー８６およびその近傍を、白色ローラー８６のシャフト９２の軸心方向から視た図である。
白基準面清掃手段１４８は、シャフト１５０を有する。シャフト１５０には、その全長に渡る横断面のほとんどが略台形をした長尺の保持部材１５２が接合されている。保持部材１５２には、その長手方向に沿って清掃部材であるブラシ毛１５４が植毛されて、ブラシ１５６が形成されている。
【００７６】
保持部材１５２は、その一端部に、シャフト１５０の径方向に延出された凸片部１５２Ａを有する。また、シャフト１５０には、図１５において、保持部材１５２に対しシャフト１５０の軸心を中心とした時計方向の回転力を付与するよう、ねじりコイルばね（不図示）が取り付けられている。さらに、前記回転力によって回転しようとする保持部材１５２を一定の角度位置で停止させるためのストッパー１５８が設けられている。
【００７７】
一方、白色ローラー８６のシャフト９２の長手方向における上記凸片部１５２に対応する位置には、シャフト９２の径方向に突出するアーム１６０が取着されている。
図１５（ａ）は、白色ローラー８６がホーム位置にある場合を示している。この状態から、コンタクトガラス７４および白基準面９０Ｃを清掃すべく、白色ローラー８６を時計方向の向きに回転させると、白色ローラー８６のブラシ毛９８が、白基準面清掃手段１４８のブラシ毛１５４と対向する位置に周回移動するが、図１５（ｂ）に示すように、ブラシ毛１５４は、ブラシ毛９８の周回軌道から外れた待避位置にあるため、両者が接触することはない。
【００７８】
さらに、白色ローラー８６が回転されると、アーム１６０が凸片部１５２Ａに当接して（図１５（ｃ））、これを押上げ、保持部材１５２ひいてはブラシ毛１５４を前記ねじりコイルばね（不図示）の付勢力に抗して、シャフト１５０の軸心回りに、反時計方向に回転させる。これにより、ブラシ毛１５４の先端が白色ローラー８６の本体部９０の周面に接触して、若干上向きに凸状態で弓なりになる（図１５（ｄ））。
【００７９】
そして、さらに回転が進み、アーム１６０が凸片部１５２Ａを通過すると、保持部材１５２は、上記ねじりコイルばね（不図示）の付勢力によって、ストッパー１５８に当接するまで、時計方向に回転する。この間も白色ローラー８６は継続して回転しているため、ブラシ毛１５４は、若干下向きに凸状態の弓なりに転じた状態（不図示）で、白基準面９０Ｃを摺擦して、白基準面９０Ｃを清掃する。
【００８０】
なお、白色ローラー８６が図１５（ｂ）に示す状態から図１５（ｃ）に示す状態に回転する間に、白色ローラー８６のブラシ毛９８は、図６（ｃ）で示したように、コンタクトガラス７４表面を摺擦して、コンタクトガラス７４を清掃する。
＜実施の形態５＞
実施の形態１〜４では、白色ローラー８６の回転に連動させて、白基準面清掃手段のブラシ毛を白色ローラーのブラシ毛から待避させたり、白基準面清掃手段のブラシ毛を白色ローラーの白基準面に接触させたりしたが、実施の形態５では、自動原稿搬送装置８の装置本体に対する開閉動作に連動させて、上記の動作を実現している。
【００８１】
図１６は、実施の形態５における、スキャナー７２およびその近傍の概略構成を表した図である。
白基準面清掃手段１６２は、シャフト１６４を有する。シャフト１６４は、可動フレーム８２に回転自在に軸支されている。
シャフト１６４には、横断面が略「Ｌ」字状をした長尺のアングル材からなる保持部材１６６の一端部が接合されている。保持部材１６６の他端部には、当該他端部部分を基材として清掃部材であるブラシ毛１６８が植毛されて白基準面９０Ｃを清掃するためのブラシ１７０が構成されている。
【００８２】
また、白基準面清掃手段１６２のシャフト１６４の紙面手前側端部には、シャフト１６４の径方向に延びた細長い短冊状をしたスティック部材１７２の一端部が接合されている。スティック部材１７２の他端部には、付勢手段である引張コイルばね１７４の一端部側が取着されている。また、引張コイルばね１７４の他端部側は、可動フレーム８２に取着されている（可動フレーム８２における取着部分は不図示）。引張コイルばね１７４の復元力（付勢力）によって、スティック部材１７２は、シャフト１６４に時計方向の回転力を付与するため、ブラシ１７０はシャフト１６４の軸心を中心として時計方向に回転しようとする。
【００８３】
可動フレーム８２には、また、シャフト１７６が回転自在に軸支されている。シャフト１７６には、その径方向に延びた棒状の第１アーム１７８の一端が接合されている。第１アーム１７８の他端は、スティック部材１７２に当接している。
シャフト１７６を介して反対側には、シャフト１７６の径方向に延びた棒状の第２アーム１８０の一端が接合されている。また、可動フレーム８２には、シャフト１７６の軸心を中心とした反時計方向の第２アーム１８０の回転を規制するストッパー１８２が取り付けられている。
【００８４】
上記の構成によれば、自動原稿搬送装置８（図２）が装置本体に対し閉じられた状態のときには、図１６（ａ）に示すように、第２アーム１８０の先端がプラテンガラス７０に当接してシャフト１７６、ひいては第１アーム１７８をシャフト１７６の軸心を中心として時計方向に回転させる。なお、第２アーム１８０は、プラテンガラス７０の紙面垂直方向手前側端部の原稿の読み取り範囲外であって、原稿読み取りに支障のない箇所に当接する位置に設けられている。
【００８５】
第１アーム１７８の先端が当接するスティック部材１７２は、第１アーム１７８により、引張コイルばね１７４の付勢力に抗して、シャフト１６４の軸心を中心に反時計方向に回転される。これに伴い、ブラシ１７０もシャフト１６４の軸心を中心として反時計方向に回転し、ホーム位置に在る白色ローラー８６の白基準面９０Ｃからブラシ毛１６８が離間する。この状態で、ブラシ毛１６８は、白色ローラー８６のブラシ毛９８の先端の周回軌道外にあり、ブラシ毛９８から待避位置にある。よって、図１６（ａ）に示す状態で、コンタクトガラス７４の清掃のため、白色ローラー８６が時計方向に回転されても、白色ローラー８６のブラシ毛９８が白基準面清掃手段１６２のブラシ毛１６８に接触することはない。
【００８６】
図１６（ａ）に示す、自動原稿搬送装置８（図２）が装置本体に対し閉じられた状態から、図１６（ｂ）に示す、自動原稿搬送装置８が装置本体に対し上方に開放されると、スティック部材１７２が引張コイルばね１７４の付勢力によって、シャフト１６４の軸心を中心として時計方向に回転する。回転するスティック部材１７２に押圧されて第１アーム１７８がシャフト１７６の軸心を中心に反時計方向に回転する。これに伴い、第２アーム１８０も反時計方向に回転するが、ストッパー１８２に当接して回転角度が規制され、ひいては、第１アーム１７８の回転角度も規制される。これにより、第１アーム１７８を押圧しているスティック部材１７２の回転角度が規制されることとなり、ひいては、ブラシ毛１６８が、ホーム位置にある白色ローラー８６の白基準面９０Ｃを覆う位置に位置決めされることとなる。
【００８７】
そして、自動原稿搬送装置８を閉じると、上述したように、ブラシ毛１６８が白基準面９０Ｃから離間し、この際、ブラシ毛１６８が白基準面９０Ｃを摺擦するため、白基準面９０が清掃されることとなる。
＜実施の形態６＞
実施の形態５では、自動原稿搬送装置８の装置本体に対する開閉動作に連動させて、白基準面清掃手段のブラシ毛を白色ローラーのブラシ毛から待避させたり、白基準面清掃手段のブラシ毛を白色ローラーの白基準面に接触させたりしたが、実施の形態６では、可動フレーム８２の開閉動作に連動させて、上記の動作を実現している。
【００８８】
図１７は、実施の形態６における、スキャナー７２およびその近傍の概略構成を表した図である。
白基準面清掃手段１８４は、シャフト１８６を有する。シャフト１８６は、可動フレーム８２に回転自在に軸支されている。
シャフト１８６には、横断面が略「Ｌ」字状をした長尺のアングル材からなる保持部材１８８の一端部が接合されている。保持部材１８８の他端部には、当該他端部部分を基材として清掃部材であるブラシ毛１９０が植毛されて白基準面９０Ｃを清掃するためのブラシ１９２が構成されている。
【００８９】
また、白基準面清掃手段１８４のシャフト１８６の紙面手前側端部には、シャフト１８６の径方向に延びた細長い短冊状をしたスティック部材１９４の一端部が接合されている。
シャフト１８６には、保持部材１８８およびスティック部材１９４に時計方向の回転力を付与するねじりコイルばね１９６が取り付けられている。
【００９０】
一方、自動原稿搬送装置８（図２）の本体フレーム１９８には、スティック部材１９４をねじりコイルばね１９６の付勢力に抗して押し下げるバー材２００が取着されている。
上記の構成によれば、可動フレーム８２が、図１７（ａ）に示すように閉じられた状態のときには、バー材２００の先端がスティック部材１９４に当接してこれを押し下げ、スティック部材１９４および保持部材１８８（ブラシ１９０）をシャフト１８６の軸心を中心に反時計方向に回転させる。
【００９１】
これに伴い、ブラシ１９０もシャフト１８６の軸心を中心として反時計方向に回転し、ホーム位置に在る白色ローラー８６の白基準面９０Ｃからブラシ毛１６８が離間する。この状態で、ブラシ毛１９０は、白色ローラー８６のブラシ毛９８の先端の周回軌道外にあり、ブラシ毛９８から待避位置にある。よって、図１７（ａ）に示す状態で、コンタクトガラス７４の清掃のため、白色ローラー８６が時計方向に回転されても、白色ローラー８６のブラシ毛９８が白基準面清掃手段１８４のブラシ毛１９０に接触することはない。
【００９２】
図１７（ａ）に示す、可動フレーム８２が本体フレーム１９８対し閉じられた状態から、シャフト８４を中心に反時計方向に回動されて、図１７（ｂ）に示すように、開放されると、バー材２００がスティック部材１９４から離間する。これにより、スティック部材１９４および保持部材１８８（ブラシ１９２）は、ねじりコイルばね１９６の付勢力を受けて、時計方向に回転する。
【００９３】
可動フレーム８２には、スティック部材１９４の時計方向の回転角度を規制するストッパー２０２が取り付けられている。スティック部材１９４は、ストッパー２０２に当接して回転角度が規制され、ひいては保持部材１８８（ブラシ１９２）の回転角度も規制されることとなる。これにより、ブラシ毛１９０が、ホーム位置にある白色ローラー８６の白基準面９０Ｃを覆う位置に位置決めされることとなる。
【００９４】
そして、可動フレーム８２を閉じると、上述したように、ブラシ毛１９０が白基準面９０Ｃから離間し、この際、ブラシ毛１９０が白基準面９０Ｃを摺擦するため、白基準面９０が清掃されることとなる。
＜実施の形態７＞
実施の形態１〜６では、白基準面清掃手段のブラシ毛を変位させることにより、白基準面清掃手段のブラシ毛と白色ローラーのブラシ毛が接触しないように構成したが、実施の形態７では、白色ローラーのブラシ毛の方を変位させることにより、白基準面清掃手段のブラシ毛と白色ローラーのブラシ毛が接触しないように構成している。
【００９５】
図１８（ａ）は、白色ローラー２０４の斜視図であり、図１８（ｂ）は、白基準面清掃手段２０６等の斜視図である。また、図１９に、白色ローラー２０４と白基準面清掃手段２０６が並設された状態を、白色ローラー２０４の長手方向から視た図を示す。
白色ローラー２０４は、実施の形態１と同様、平坦面９０Ａと円周面９０Ｂとを有する本体部９０を備えている。また、本体部９０には、シャフト９２が設けられている。
【００９６】
本体部９０の平坦面９０Ａに、コンタクトガラス７４を清掃するためのブラシ２０８が設けられている。ブラシ２０８は、細長いプラスチック板からなる基材２１０に清掃部材であるブラシ毛２１２を植毛してなるものである。ブラシ毛２１２は、基材２１０の長手方向に直線状に植毛されている。
基材２１０は、一方の長辺に沿って設けられた蝶番２１４を介して、平坦面９０Ａに対し揺動可能に取り付けられている。
【００９７】
基材２１０は、他方の長辺の両端を残して、その間が一定の幅で切除された切欠部２１０Ａを有する。ここで、切欠部２１０Ａ両端部の突出した部分を凸片部２１０Ｂと称することとする。
基材２１０の両凸片部２１０Ｂに対応する部分の各々と平坦面９０Ａとに間には、圧縮コイルばね２１６が設けられている（図１８では不図示）。図１９（ａ）に示す状態で圧縮コイルばね２１６は、略自由長の状態であり、当該状態において、ブラシ毛２１２の先端は、実施の形態１の場合と同様、本体部９０の円周面９０Ｂを延長した一点鎖線で示す仮想周面よりも突出している。
【００９８】
白基準面清掃手段２０６は、図１８（ｂ）に示すように、長尺のプラスチック板からなる基材２１８に清掃部材であるスポンジ２２０が貼着されてなるスポンジブラシ２２２（以下、単に「ブラシ２２２」と言う。）からなる。
ブラシ２２２の全長は、基材２１０の両凸片部２１０Ｂ間の距離（切欠部２１０Ａの全長）よりも短い。
【００９９】
ブラシ２２２の両端部には、一対のガイド板２２４，２２６が設けられている。ガイド板２２４，２２６の各々は、短冊状をした板材の長手方向における略半分を円弧状に湾曲させた形状をしており、平坦部２２４Ａ，２２６Ｂと湾曲部２２４Ｂ，２２６Ｂとを有する。
ガイド板２２４，２２６は、円弧状をした湾曲部２２４Ｂ，２２６Ｂの半径の中心が、白色ローラー２０４のシャフト９２の軸心と一致するように設置されている（図１９）。
【０１００】
上記の構成において、白色ローラー２０４がホーム位置にあるときには、ブラシ２２２のスポンジ２２０が、白基準面９０Ｃを覆うように当接している。この状態で、スポンジ２２０は白基準面９０Ｃに押圧されて圧縮状態になっている。
コンタクトガラス７４を清掃すべく、白色ローラー２０４が図１９（ａ）において時計方向に回転されると、先ず、白基準面９０Ｃがスポンジ２２０に摺擦されて白基準面９０Ｃが清掃される。
【０１０１】
さらに回転が進むと、基材２１０の凸片部２１０Ｂの先端が、ガイド板２２４，２２６の湾曲部２２４Ｂ，２２６Ｂに当接し、基材２１０がガイド板２２４，２２６から押圧力を受ける。その結果、基材２１０は、圧縮コイルばね２１６の付勢力に抗して、蝶番２１４を閉じる方向に揺動し、ひいては、ブラシ毛２１２が平坦面９０Ａに近づく。これにより、ブラシ毛２１２が相対的に近づいてくるスポンジ２２０に対し待避することとなるため、ブラシ毛２１２とスポンジ２２０とが接触するのを回避できる。
【０１０２】
さらに、白色ローラー２０４の回転が進み、基材２１０の凸片部２１０Ｂ先端のガイド板２２４，２２６との当接状態が解除されると、基材２１０は、圧縮コイルばね２１６の付勢力（復元力）により、圧縮コイルばね２１６が略自由長になるまで、蝶番２１４が開く方向に揺動する。この状態で白色ローラー２０４が回転すると、ブラシ毛２１２がコンタクトガラス７４を摺擦して、コンタクトガラス７４を清掃する。
【０１０３】
なお、基材２１０の幅方向における蝶番２１４とは反対側の端部がスポンジ２２０と対向する領域を通過する際には、スポンジ２２０が切欠部２１０Ａを相対的に摺り抜けるため、基材２１０とスポンジ２２０が接触することはない。
また、上記の例では、白色ローラー２０４がホーム位置にある場合に、スポンジ２２０を白基準面９０Ｃに当接させることとしたが（図１９（ａ））、これに限らず、図１９（ａ）に示す状態において、スポンジ２２０を、本体部９０の回転方向において、白基準面９０Ｃから本体部９０外周面がコンタクトガラス７４と対向する位置に至る当該外周面部分に当接させることとしても構わない。このようにしても、読取位置（原稿の通過位置）から到来する塵埃が白基準面９０Ｃに付着するのを防止する効果が得られるからである。
【０１０４】
以上、本発明を実施の形態に基づいて説明してきたが、本発明は上記した形態に限らないことは勿論であり、例えば、以下のような形態とすることもできる。
（１）上記実施の形態では、コンタクトガラス７４のための清掃部材として、ブラシ毛を用いたが、これに限らずスポンジを用いても構わない。また、上記実施の形態１〜６では、白基準面のための清掃部材としてブラシ毛を用いたが、これに限らず、スポンジを用いても良い。さらに、上記実施の形態７では、白基準面のための清掃部材としてスポンジを用いたが、これに限らずブラシ毛を用いても構わない。
【０１０５】
また、清掃部材は、ブラシ毛やスポンジに限らず他の素材を用いても良い。要は、可撓性を有し、被清掃面（コンタクトガラス表面、白基準面）を摺擦することにより清掃できる素材であれば構わないのである。
（２）実施の形態１〜６では、コンタクトガラス清掃用のブラシ毛９８を、基材９６に植毛した上で、白色ローラー８６における本体部９０の平坦面９０Ａに設けることとしたが、これに限らず、ブラシ毛を直接平坦面９０Ａに植毛して、ブラシを構成することとしても構わない。
（３）上記実施の形態では、第２原稿読取部３２に白基準面清掃手段を設けたが、第１原稿読取部３０においても白基準面清掃手段を設けることとしても構わない。
（４）上記実施の形態は、シートスルー方式で原稿画像を読み取る画像読取装置において、原稿読取部を２個有するもの（第１および第２原稿読取部３０，３２）を例に説明したが、本発明は、原稿読取部を１個しか有さない画像読取装置にも適用できることは言うまでもない。
（５）上記実施の形態では、本発明に係る画像読取装置を複合機に適用した例について説明したが、本発明は、これに限らず、複写機、ファクシミリ装置にも適用可能である。
【産業上の利用可能性】
【０１０６】
本発明に係る画像読取装置は、例えば、複写機、ファクシミリ装置、これらの機能を兼ね備えた複合機のイメージリーダー部に好適に利用可能である。
【符号の説明】
【０１０７】
４    イメージリーダー部
７２    スキャナー
７４    コンタクトガラス
８６    白色ローラー
９０    本体部
９０Ｃ  白基準面
９８，２１２    ブラシ毛
１０３，１４２，１５４，１６８，１９０    ブラシ毛
２２０    スポンジ
【図１】
2014017766.tif 000003
【図２】
2014017766.tif 000004
【図３】
2014017766.tif 000005
【図４】
2014017766.tif 000006
【図５】
2014017766.tif 000007
【図６】
2014017766.tif 000008
【図７】
2014017766.tif 000009
【図８】
2014017766.tif 000010
【図９】
2014017766.tif 000011
【図１０】
2014017766.tif 000012
【図１１】
2014017766.tif 000013
【図１２】
2014017766.tif 000014
【図１３】
2014017766.tif 000015
【図１４】
2014017766.tif 000016
【図１５】
2014017766.tif 000017
【図１６】
2014017766.tif 000018
【図１７】
2014017766.tif 000019
【図１８】
2014017766.tif 000020
【図１９】
2014017766.tif 000021
【図２０】
2014017766.tif 000022